(57)【特許請求の範囲】
【請求項１】
親局が、サービスエリア内で接続されている子局の子局数を管理し、前記子局数が前記親局に接続可能な最大子局数に達している状態をシステム飽和状態として、前記サービスエリア内で接続されていない子局に対して報知し、前記報知を受けた子局が、システム飽和状態を表示することを特徴とする無線ＬＡＮシステム。
【請求項２】
親局が、サービスエリア内で接続されている子局の子局数を管理し、前記子局数が前記親局に接続可能な最大子局数に達している状態をシステム飽和状態として判断し、前記サービスエリア内で接続されている子局及び接続されていない子局に対して定期的にシステム飽和状態であるか否かを報知し、前記報知を受けた子局の内、少なくとも前記サービスエリア内で接続されていない子局が、システム飽和状態であるか否かを表示することを特徴とする無線ＬＡＮシステム。
【請求項３】
サービスエリア内で接続されている子局を記憶する子局管理テーブルと、接続されている子局を前記子局管理テーブルに登録し、前記子局管理テーブルに登録されている子局の子局数が予め設定された接続可能な最大子局数に達しているか否かを定期的に判断し、前記登録されている子局の子局数が前記最大子局数に達している状態をシステム飽和状態として、システム飽和状態か否かを前記サービスエリア内に位置する子局に対して報知する制御部とを具備する親局と、
前記親局からの報知を受け、前記サービスエリア内で前記親局に接続されていない場合に前記報知の内容に従って表示の制御を行う制御部と、前記報知の内容に従ってシステム飽和状態か否かを表示する表示部とを具備する子局とを有することを特徴とする無線ＬＡＮシステム。
【請求項４】
定期的に親局から子局に送信される報知信号の一部をシステムＦＵＬＬフラグとして割り当て、前記システムＦＵＬＬフラグを用いてシステム飽和状態か否かを報知することを特徴とする請求項２又は請求項３記載の無線ＬＡＮシステム。
【請求項５】
親局の制御部が、任意の子局から電波を受信すると、子局管理テーブルを参照し、前記子局管理テーブルが飽和状態でなければ前記子局管理テーブルに前記子局を登録し、前記登録された子局について、特定時間電波を受信しないと、前記子局管理テーブルから登録を抹消する制御部であることを特徴とする請求項３又は請求項４記載の無線ＬＡＮ装置。
【請求項６】
子局の制御部が、システム飽和状態である報知を受けた時に、親局において当該子局が子局管理テーブルに登録されていない状態であれば、電波非送信の状態となり、システム飽和状態でない報知を受けると、電波送信の状態となる子局の制御部であることを特徴とする請求項３又は請求項４又は請求項５記載の無線ＬＡＮシステム。
【請求項７】
親局の制御部が、子局管理テーブルに登録された子局を前記子局管理テーブルから抹消するまでの特定時間を、前記子局から最後に電波を受信した時からの報知信号の数でカウントする親局の制御部であり、
前記子局管理テーブルに登録された子局の制御部が、前記親局に最後に電波を送信した時からの報知信号の数で前記特定時間をカウントして前記特定時間に達すると、前記親局において前記子局管理テーブルから当該子局が抹消されたと判断する子局の制御部であることを特徴とする請求項５又は請求項６記載の無線ＬＡＮシステム。
【発明の詳細な説明】
【０００１】
【発明の属する技術分野】
本発明は、１台の親局と複数台の子局から構成されるＴＤＤ（Time Division Duplex）方式を用いる無線ＬＡＮに係り、特に１台の親局に接続された子局数が接続可能な最大子局数に達している場合に、その旨を子局に報知できる無線ＬＡＮシステムに関する。
【０００２】
【従来の技術】
まず、一般的なＴＤＤ方式の無線ＬＡＮシステムについて図８を使って説明する。図８は、一般的なＴＤＤ方式の無線ＬＡＮシステムの概略構成を示す説明図である。
一般的なＴＤＤ方式の無線ＬＡＮシステムは、１台の親局（ＣＭ）１と、複数台の子局（ＵＭ）２から構成され、親局１のサービスエリア内で接続可能な子局２の最大子局数（図８では最大管理ＵＭ数）は制限されている（例えば、図８では最大管理ＵＭ数がＮ）。
【０００３】
ここで、１台の親局１に対して、接続可能な最大子局数（最大管理ＵＭ数）をＮ台とすると、複数台（ｍ台）の親局１と複数台（ｎ台）の子局２からシステムを構築する場合、この時の親局１、子局２の数の関係は、システム全体として、
ｎ≦ｍ×Ｎ  …  （式１）
である。
また、個々の親局１のサービスエリア内の子局２を均等配分したとして、
ｎ／ｍ≦Ｎ  …  （式２）
の関係が成り立つ。
【０００４】
つまり、システム全体として子局２の台数が（式１）で制限され、更に１台の親局１のサービスエリア内の子局２の台数はＮ台以下になるように運用しなければならず、図８に示すように、ＣＭ１-1及びＣＭ１-2のサービスエリア内でそれぞれＮ台の子局（ＵＭ）が接続されていると、（２Ｎ＋１）台目の子局（ＵＭ）は、どちらのサービスエリアでも運用できないことになる。
【０００５】
従来の無線ＬＡＮシステムでは、上記運用上の制限に従って、各親局１の配下の子局２を予め登録し、登録された子局２のみが接続可能となっていた。
【０００６】
しかし、無線ＬＡＮシステムにおいて、親局１と子局２とが無線接続されるという特徴を生かして子局２がサービスエリアをまたいで移動可能とする場合、特定の親局１のサービスエリア内に子局２が集中するケースが発生し、移動によってある親局１のサービスエリア内に最大子局数の子局２が存在すると、以降当該サービスエリア内に移動した子局２は、サービスを受けることができなくなり、システム的に使用できない状態（この状態をシステム飽和状態又はシステムＦＵＬＬ状態と呼ぶ）となる。
【０００７】
子局２を移動可能とした場合の例について、図９を使って説明する。図９は、子局を移動可能とした場合の無線ＬＡＮシステムの状態例を示す説明図である。最大管理ＵＭ数が１０台であるＣＭ-a下のサービスエリアａ及びＣＭ-b下のサービスエリアｂのそれぞれで８台ずつのＵＭが接続されている状態から、まず、サービスエリアｂのＵＭb-1がサービスエリアａに移動して（１）、サービスエリアａにおける９台目のＵＭとして接続可能となり、次にサービスエリアｂのＵＭb-2がサービスエリアａに移動して（２）、サービスエリアａにおける１０台目のＵＭとして接続可能となり、この段階でＣＭ-aはシステムＦＵＬＬ状態である。
【０００８】
そして、次に、サービスエリアｂのＵＭb-8がサービスエリアａに移動するが（３）、サービスエリアａにおける１１台目のＵＭとなるため、最大管理ＵＭ数を越えるために接続できない。
【０００９】
この時、システムＦＵＬＬ状態であるサービスエリアに移動した子局２が接続しようとした場合、従来の無線ＬＡＮシステムでは、接続要求は受け入れられず、ただ単に接続ができない状態になっていた。
【００１０】
【発明が解決しようとする課題】
しかしながら、従来の無線ＬＡＮシステムでは、システム飽和状態である親局のサービスエリアに移動した子局が接続しようとした場合、ただ単に接続ができない状態になり、その原因等についての情報が報知されず、子局の利用者は、移動して接続しようとした親局がシステム飽和状態なのか、装置の故障等なのかが認識できず使い勝手が悪いという問題点があった。
【００１１】
また、接続可能となるタイミングが認識できないので、むやみに接続要求を繰り返さなければならず、子局が無駄な動作を繰り返すことになり無駄な電力消費が行われ、更に親局では、無駄な接続要求の受付処理を行うことになり、システム全体として効率が低下するという問題点があった。
【００１２】
本発明は上記実情に鑑みて為されたもので、従来技術の問題点である子局でシステム飽和状態を認識できず、更にシステム全体の効率が低下するという問題点を解決し、システム飽和状態を子局に報知することによって、子局の使い勝手を向上し、システム全体としての効率を向上できる無線ＬＡＮシステムを提供することを目的とする。
【００１３】
【課題を解決するための手段】
上記従来例の問題点を解決するための請求項１記載の発明は、無線ＬＡＮシステムにおいて、親局が、サービスエリア内で接続されている子局の子局数を管理し、前記子局数が前記親局に接続可能な最大子局数に達している状態をシステム飽和状態として、前記サービスエリア内で接続されていない子局に対して報知し、前記報知を受けた子局が、システム飽和状態を表示することを特徴としており、サービスエリア内で接続されていない子局においてシステム飽和状態を認識できる。
【００１４】
上記従来例の問題点を解決するための請求項２記載の発明は、無線ＬＡＮシステムにおいて、親局が、サービスエリア内で接続されている子局の子局数を管理し、前記子局数が前記親局に接続可能な最大子局数に達している状態をシステム飽和状態として判断し、前記サービスエリア内で接続されている子局及び接続されていない子局に対して定期的にシステム飽和状態であるか否かを報知し、前記報知を受けた子局の内、少なくとも前記サービスエリア内で接続されていない子局が、システム飽和状態であるか否かを表示することを特徴としており、報知を受けた子局の内、少なくともサービスエリア内で接続されていない子局において、システム飽和状態であるか否かを定期的に認識できる。
【００１５】
上記従来例の問題点を解決するための請求項３記載の発明は、無線ＬＡＮシステムにおいて、サービスエリア内で接続されている子局を記憶する子局管理テーブルと、接続されている子局を前記子局管理テーブルに登録し、前記子局管理テーブルに登録されている子局の子局数が予め設定された接続可能な最大子局数に達しているか否かを定期的に判断し、前記登録されている子局の子局数が前記最大子局数に達している状態をシステム飽和状態として、システム飽和状態か否かを前記サービスエリア内に位置する子局に対して報知する制御部とを具備する親局と、
前記親局からの報知を受け、前記サービスエリア内で前記親局に接続されていない場合に前記報知の内容に従って表示の制御を行う制御部と、前記報知の内容に従ってシステム飽和状態か否かを表示する表示部とを具備する子局とを有することを特徴としており、少なくともサービスエリア内で接続されていない子局において、システム飽和状態であるか否かを定期的に認識できる。
【００１６】
上記従来例の問題点を解決するための請求項４記載の発明は、請求項２又は請求項３記載の無線ＬＡＮシステムにおいて、定期的に親局から子局に送信される報知信号の一部をシステムＦＵＬＬフラグとして割り当て、前記システムＦＵＬＬフラグを用いてシステム飽和状態か否かを報知することを特徴としており、既存の報知信号を用いてシステム飽和状態であるか否かを子局側でリアルタイムに認識できる。
【００１７】
上記従来例の問題点を解決するための請求項５記載の発明は、請求項３又は請求項４記載の無線ＬＡＮシステムにおいて、親局の制御部が、任意の子局から電波を受信すると、子局管理テーブルを参照し、前記子局管理テーブルが飽和状態でなければ前記子局管理テーブルに前記子局を登録し、前記登録された子局について、特定時間電波を受信しないと、前記子局管理テーブルから登録を抹消する制御部であることを特徴としており、流動的な子局の接続状況を捕らえた上でのシステム飽和状態であるか否かをリアルタイムに子局側で認識できる。
【００１８】
上記従来例の問題点を解決するための請求項６記載の発明は、請求項３又は請求項４又は請求項５記載の無線ＬＡＮシステムにおいて、子局の制御部が、システム飽和状態である報知を受けた時に、親局において当該子局が子局管理テーブルに登録されていない状態であれば、電波非送信の状態となり、システム飽和状態でない報知を受けると、電波送信の状態となる子局の制御部であることを特徴としており、システム飽和状態で接続が不可能なときには、子局が不要な電波を送出しないで消費電力を節約し、親局においても無駄な接続受付処理を回避できる。
【００１９】
上記従来例の問題点を解決するための請求項７記載の発明は、請求項５又は請求項６記載の無線ＬＡＮシステムにおいて、親局の制御部が、子局管理テーブルに登録された子局を前記子局管理テーブルから抹消するまでの特定時間を、前記子局から最後に電波を受信した時からの報知信号の数でカウントする親局の制御部であり、
前記子局管理テーブルに登録された子局の制御部が、前記親局に最後に電波を送信した時からの報知信号の数で前記特定時間をカウントして前記特定時間に達すると、前記親局において前記子局管理テーブルから当該子局が抹消されたと判断する子局の制御部であることを特徴としており、既存の報知信号を用いた簡単な処理で子局が親局の子局管理テーブルに登録されているか否かの認識を一致させることができる。
【００２０】
【発明の実施の形態】
請求項に係る発明について、その実施の形態を図面を参照しながら説明する。
本発明に係る無線ＬＡＮシステムは、親局が、サービスエリア内で接続されている子局の子局数を管理し、子局数が親局に接続可能な最大子局数に達している状態をシステム飽和状態と判断して、システム飽和状態か否かをサービスエリア内に位置する子局に定期的に報知し、報知を受けた子局の内、少なくとも親局に接続されていない子局が、システム飽和状態か否かを表示し、更に子局がシステム飽和状態である報知を受けた時に親局において当該子局が子局管理テーブルに登録されていない状態であれば、電波非送信の状態となり、システム飽和状態でない報知を受けると、電波送信の状態となるものなので、子局でシステム飽和状態であるか否かが認識できて使い勝手が向上し、更に不要な電波送出が回避できてシステム全体としての効率を向上できるものである。
【００２１】
まず、本発明に係る無線ＬＡＮシステムの親局の構成について図１を使って説明する。図１は、本発明に係る無線ＬＡＮシステムの親局の構成ブロック図である。
【００２２】
本発明の親局１は、装置全体の制御を行う制御部１０と、子局２と無線通信を行う無線部２０と、バックボーンのネットワークとの有線通信を行う有線部２１と、記憶部２２とから構成されている。
【００２３】
本発明の親局１における無線部２０と、有線部２１は、従来の親局におけるそれと同様で、一般的な無線通信及び有線通信を行うものであるので、詳細な説明は省略し、本発明の特徴部分に関連する制御部１０及び記憶部２２について説明する。
【００２４】
記憶部２２は、サービスエリア内で接続されている子局を記憶する子局管理テーブル２２ａを具備している。
ここで、子局管理テーブル２２ａの具体的なフォーマットの一例について図２を使って説明する。図２は、本発明の親局における子局管理テーブル２２ａのフォーマット例を示す説明図である。
【００２５】
本発明の子局管理テーブル２２ａは、予め定められた最大子局数Ｎ個分の子局が登録できるフォーマットになっており、各レコードは、子局を一意に識別するための識別子（図２では子局番号）と、当該子局の登録時間が記憶される。
【００２６】
尚、最大子局数Ｎは、無線ＬＡＮシステムによって制限されている値である。また、登録時間とは、当該子局からの電波を最後に受信してからの経過時間をカウントした値であり、登録時間が予め定められた特定時間に達すると、当該子局が子局管理テーブル２２ａから抹消されるようになっている。
【００２７】
そして、子局管理テーブル２２ａへの登録及び抹消が繰り返される過程で、Ｎ個の子局が登録されている状態が子局管理テーブル２２ａの飽和状態であり、同時に親局１のサービスエリア内で接続されている子局の子局数が親局に接続可能な最大子局数に達していることになり、システム飽和状態を意味している。
尚、子局管理テーブル２２ａへの登録方法及び、登録時間のカウント方法、及び登録の抹消方法については後述する。
【００２８】
本発明の親局１の制御部１０は、一般的な親局１として子局２との無線通信及びバックボーンネットワークとの有線通信の制御を行うのに加えて、本発明の特徴部分として、子局管理テーブル２２ａを用いてサービスエリア内で接続されている子局２の子局数を管理し、システム飽和（ＦＵＬＬ）状態を検出して子局２に報知するシステムＦＵＬＬ状態報知制御を行うものである。
【００２９】
具体的にシステムＦＵＬＬ状態報知制御を行う為の手段として、本発明の親局１の制御部１０には、無線通信制御手段１１と、子局登録監視手段１２と、子局抹消監視手段１３と、システムＦＵＬＬ監視手段１４とが設けられている。
各手段について具体的に説明する。
【００３０】
無線通信制御手段１１は、ＴＤＤ方式に基づく無線通信の通信制御を行う手段である。
一般的に、ＴＤＤ方式の無線通信は、親局１と子局２とが交互に通信する方式であり、子局２は、親局１から送信されるシステムの基準タイミングに従って動作する。
通常、親局１から送信される基準タイミングを示す信号は報知信号と呼ばれ、図３に示すように、一定間隔毎に親局１からサービスエリア内に位置する全ての子局２宛に送信され、報知信号と報知信号との間の時間帯で親局１から任意の子局２へのデータ通信又は任意の子局２から親局１へのデータ通信などが行われるようになっている。
図３は、ＴＤＤ方式の無線通信における信号のやり取りを示す説明図である。
【００３１】
子局登録監視手段１２は、接続された子局２の登録及び登録時間の更新を行う手段である。
ここで、子局登録監視手段１２の具体的な処理動作について、図４を使って説明する。図４は、本発明の親局１の制御部１０の子局登録監視手段１２における処理の流れを示すフローチャート図である。
【００３２】
本発明の親局１の制御部１０の子局登録監視手段１２における処理は、常時動作し、子局２からの電波を受信したか判断し（１００）、受信してない場合（Ｎｏ）は、処理１００を繰り返し、受信した場合（Ｙｅｓ）は、当該子局２が既に子局管理テーブル２２ａに登録されている子局２であるか判断し（１０２）、既に登録されている場合（Ｙｅｓ）は、当該子局２に対応する登録時間を０にクリアして（１０４）、処理１００に戻る。
【００３３】
一方、処理１０２において、既に子局管理テーブル２２ａに登録されている子局２でない場合は、子局管理テーブル２２ａが飽和状態か判断し（１１０）、飽和状態の場合（Ｙｅｓ）は、処理１００に戻り、飽和状態でない場合（Ｎｏ）は、子局管理テーブル２２ａに当該子局の識別子を新規登録し、その登録時間を０に設定して（１１２）、処理１００に戻るようになっている。
【００３４】
子局抹消監視手段１３は、子局管理テーブル２２ａに登録されている子局２で一定時間データのやり取りがない子局２を抹消する処理を行う手段である。
ここで、子局抹消監視手段１３の具体的な処理動作について、図５を使って説明する。図５は、本発明の親局１の制御部１０の子局抹消監視手段１３における処理の流れを示すフローチャート図である。
【００３５】
本発明の親局１の制御部１０の子局抹消監視手段１３における処理は、常時動作し、報知信号を送信するタイミングであるか判断し（２００）、そのタイミングでない場合（Ｎｏ）は、処理２００を繰り返し、報知信号を送信するタイミングである場合（Ｙｅｓ）は、子局管理テーブル２２ａの登録時間に１を加算し（２０２）、登録時間が予め定められた特定時間に達したか判断し（２０４）、達していない場合（Ｎｏ）は、処理２００に戻り、特定時間に達した場合（Ｙｅｓ）は、その子局を子局管理テーブル２２ａから抹消して（２０６）、処理２００に戻る。
尚、処理２０２から処理２０６は、子局管理テーブル２２ａに登録されている全ての子局について行う。
【００３６】
システムＦＵＬＬ監視手段１４は、システム飽和（ＦＵＬＬ）状態であるか否かを監視し、その結果をサービスエリア内に位置する全ての子局２に報知する手段である。
具体的にシステムＦＵＬＬ監視手段１４では、報知信号を送信する前のタイミング毎に子局管理テーブル２２ａを参照して一杯（飽和状態）であるかを判断し、子局管理テーブル２２ａが飽和状態であればシステム飽和状態であるとして、報知信号の一部に設けたシステムＦＵＬＬフラグをＯＮ（例えば、値１）とし、逆に子局管理テーブル２２ａが飽和状態でなければシステム飽和状態でないとして、システムＦＵＬＬフラグをＯＦＦ（例えば、値０）として設定する。
【００３７】
その結果、無線通信制御手段１１を介して送信される報知信号で、システムＦＵＬＬ状態であるか否かがサービスエリア内に位置する全ての子局２に報知されることになる。
尚、上記説明では、子局管理テーブル２２ａが飽和状態であることが、すなわち接続されてる子局の子局数が予め設定された接続可能な最大子局数に達しているとして、システム飽和状態であると判断する方法としているが、子局管理テーブル２２ａとは別に、接続されている子局の数を管理するエリアを別に設け、当該エリアの値が最大子局数であるか否かでシステム飽和状態を判断しても構わない。
【００３８】
次に、本発明の無線ＬＡＮシステムの子局２の構成について図６を使って説明する。図６は、本発明に係る無線ＬＡＮシステムの子局の構成ブロック図である。
【００３９】
本発明の子局２は、装置全体の制御を行う制御部３０と、親局１と無線通信を行う無線部３１と、システムＦＵＬＬ状態か否かを表示するシステムＦＵＬＬ表示部３２とから構成されている。
【００４０】
本発明の子局２における無線部３１は、従来の子局におけるそれと同様で、一般的な無線通信を行うものであるので、詳細な説明は省略し、本発明の特徴部分に関連する制御部３０及びシステムＦＵＬＬ表示部３２について説明する。
【００４１】
システムＦＵＬＬ表示部３２は、親局１がシステム飽和（ＦＵＬＬ）状態であるか否かを表示するもので、具体的には例えば、ＬＥＤ等が考えられる。
そして、後述する制御部３０の制御によって、例えばシステムＦＵＬＬ状態であればＬＥＤを点灯してユーザに注意を促し、システムＦＵＬＬ状態でなくなったときに、ＬＥＤを消灯するようになっている。
尚、ディスプレイ等の一般的な表示部にシステムＦＵＬＬ状態か否かを示すマークや文字を表示するようにしても構わない。
【００４２】
制御部３０は、一般的な子局２として親局１との無線通信の制御を行うのに加えて、本発明の特徴部分として、親局１から報知されるシステムＦＵＬＬ状態か否かの情報に従って、当該情報に対応したシステムＦＵＬＬ状態対応制御を行うものである。
【００４３】
具体的には、親局１から一定時間毎に送信される報知信号を受信すると、報知信号中に設けられたシステムＦＵＬＬフラグのON/OFFを判定し、ON/OFFの状態に対応してシステムＦＵＬＬ表示部３２の表示制御及びシステムの動作切替制御を行う。
【００４４】
ここで、システムの動作切替制御とは、システムＦＵＬＬフラグがＯＦＦ、つまり親局１がシステムＦＵＬＬ状態でなければ、動作モードを電波を送信して通常の動作を行う通常運用モードにする。
また、逆にシステムＦＵＬＬフラグがＯＮ、つまり親局１がシステムＦＵＬＬ状態であれば、当該子局２が親局１の子局管理テーブル２２ａに登録されているか判断し、登録されていない場合は、動作モードを電波を送信しない待機モードにする。
尚、システムＦＵＬＬフラグがＯＮであっても、当該子局２が親局１の子局管理テーブル２２ａに登録されている場合は、当該子局２が接続されている状態であるから、動作モードは通常運用モードのままである。
【００４５】
ここで、当該子局２が親局１の子局管理テーブル２２ａに登録されていない状態とは、他親局１のサービスエリアから移動してきた子局２である場合と、一旦子局管理テーブル２２ａに登録されたが、一定時間データのやり取りが無く登録が抹消された場合とが考えられる。
【００４６】
ここで、子局２の制御部３０における具体的な処理動作について、図７を使って説明する。図７は、本発明の親局１の制御部１０の子局登録監視手段１２における処理の流れを示すフローチャート図である。
【００４７】
本発明の親局１の制御部１０におけるシステムＦＵＬＬ状態対応制御の処理は、親局１からの報知信号を受信すると起動され、報知信号中のシステムＦＵＬＬフラグがＦＵＬＬ状態を示しているか判断し（３００）、ＦＵＬＬ状態でなければ（Ｎｏ）、システムＦＵＬＬ表示部３２の表示をＯＦＦにし（３０２）、動作モードを通常運用モードとして（３０４）、通常の無線ＬＡＮの動作フローに移行する。
【００４８】
一方、処理３００において、システムＦＵＬＬフラグがＦＵＬＬ状態であれば（Ｙｅｓ）、親局の子局管理テーブル２２ａに登録されているか判断し（３１０）、登録されていれば（Ｙｅｓ）、現在接続中なので処理３０２に移り、登録されていなければ（Ｎｏ）、未接続なので、システムＦＵＬＬ表示部３２の表示をＯＮにして（３１２）、動作モードを待機モードとして（３１４）、システムＦＵＬＬ状態対応制御の処理を終了する。
【００４９】
次に、本発明の無線ＬＡＮシステムの動作について、図１，図６を使って説明する。
本発明の無線ＬＡＮシステムでは、親局１のサービスエリア内で新しい子局２が電波の送信を行うと、親局１の無線部２０及び制御部１０の無線通信制御手段１１を介して当該電波が受信され、子局登録監視手段１２の動作によって、子局管理テーブル２２ａが飽和状態であるかチェックされ、飽和状態でなければ当該子局２が子局管理テーブル２２ａに登録されて、以降親局１と子局２との通信が行われる。
【００５０】
そして、親局１では子局抹消監視手段１３の動作として、子局管理テーブル２２ａに子局２が登録されてからの時間を、親局１から子局２に一定時間毎に送信される報知信号の数でカウントし、登録時間として子局管理テーブル２２ａに記憶していき、登録時間が予め定められた特定時間に達すると、その子局を子局管理テーブル２２ａから抹消していく。
【００５１】
但し、親局１では、子局登録監視手段１２の動作として、既に子局管理テーブル２２ａに登録されている子局２の電波を受信した場合に、子局管理テーブル２２ａの当該子局２に対応する登録時間をクリアするので、結果的に登録時間は、最後に当該子局２から電波を受信してからの時間をカウントし、最後に当該子局２から電波を受信してから特定時間が経過した子局２について登録を抹消することになる。
【００５２】
更に、親局１では、システムＦＵＬＬ監視手段１４の動作として、報知信号送信する前のタイミング毎に子局管理テーブル２２ａを参照して、子局管理テーブル２２ａが飽和状態であるかを判断し、子局管理テーブル２２ａが飽和状態であれば報知信号の一部に設けられたシステムＦＵＬＬフラグをＯＮとし、逆に子局管理テーブル２２ａが飽和状態でなければシステムＦＵＬＬフラグをＯＦＦとして設定して、無線通信制御手段１１及び無線部２０を介して、報知信号をサービスエリア内に位置する全子局２に送信するようになっている。
【００５３】
一方、子局２では、自己が親局１の子局管理テーブル２２ａに登録されているか否かを管理するために、親局１と最後にやり取りした以降の報知信号の数をカウントし、そのカウントが親局１側と同一の特定時間に達したなら、当該子局が親局１の子局管理テーブル２２ａから抹消されたと判断する。
【００５４】
そして、報知信号を受信した子局２では、制御部１０の動作として、受信の都度報知信号中のシステムＦＵＬＬフラグをチェックし、システムＦＵＬＬフラグがＯＮであれば、システムが飽和状態であるとして、上記説明した報知信号のカウントから自己が親局１の子局管理テーブル２２ａに登録されていて接続状態であるか判断し、自己が子局管理テーブル２２ａに登録されていずに接続状態でない場合は、システムＦＵＬＬ表示部３２の表示をＯＮとし、動作モードも電波を送信しない待機モードとする。
【００５５】
また、受信した報知信号のシステムＦＵＬＬフラグがＯＮであっても、自己が親局１の子局管理テーブル２２ａに登録されていて接続状態であれば、システムＦＵＬＬ表示部３２の表示をＯＦＦとし、動作モードも電波を送信する通常運用モードとする。
【００５６】
一方、受信した報知信号のシステムＦＵＬＬフラグがＯＦＦであれば、システムが飽和状態でないとして、システムＦＵＬＬ表示部３２の表示をＯＦＦとし、動作モードも電波を送信する通常運用モードとする。
【００５７】
尚、受信した報知信号のシステムＦＵＬＬフラグがＯＮの時に、自己が親局１の子局管理テーブル２２ａに登録されていて接続状態であった場合に、システムＦＵＬＬ表示部３２の表示をＯＮとして、接続中の子局２のユーザにサービスエリア内が混雑していることを報知するようにしても構わない。
【００５８】
本実施の形態において説明した機能実現手段は、プログラムを用いたソフトウェア処理で実現してもよく、また一部又は全部をハードウェアで実現しても良い。
また、親局１及び子局２における特定時間のカウントは、制御部１０及び制御部３０で実現しているが、タイマなどを用いたハード的なカウンタで実現しても構わない。
【００５９】
また、上記説明では、１台の親局１の下での制御について説明したが、複数の親局１のサービスエリアの重なり部分に子局２が位置するときには、複数の親局１から送信される報知信号を受信し、各報知信号に含まれるシステムＦＵＬＬフラグを時間的にずらして監視することによって、一番初めにシステムが飽和状態でないことを検出できた親局１との間で通信を行い、全てが飽和状態であった場合に、システムＦＵＬＬの表示及び待機モードへの変更を行うようにすればよい。
【００６０】
本発明の実施の形態に係る無線ＬＡＮシステムによれば、親局１が、サービスエリア内で接続されている子局２の子局数を子局管理テーブル２２ａで管理し、子局数が最大子局数に達している状態をシステム飽和状態として、サービスエリア内に位置する子局２に対して定期的に報知し、報知を受けた子局２が、システム飽和状態であるか否かを表示するので、システム飽和状態であるか否かを子局２側で定期的に認識でき、接続できない理由を認識した上でシステム飽和状態でなくなった時に再接続することもでき、ユーザの無駄な時間を削減し、更に接続できない理由が解らないことへの不安を解消し、子局２における使い勝手を向上できる効果がある。
【００６１】
また、親局１から子局２へのシステム飽和状態の報知を、定期的に親局１から子局２に送信される報知信号の一部を用いて行うので、既存の報知信号を用いてシステム飽和状態であるか否かを子局側でリアルタイムに認識できる効果がある。
【００６２】
また、親局１の制御部１０が、任意の子局２から電波を受信すると子局管理テーブル２２ａを参照して飽和状態でなければ当該子局２を子局管理テーブル２２ａに登録し、登録された子局２について、特定時間電波を受信しないと、子局管理テーブル２２ａから登録を抹消するので、登録と抹消を繰り返す過程の流動的な子局の接続状況を捕らえた上でのシステム飽和状態をリアルタイムに子局２側で認識できる効果がある。
【００６３】
更に、子局２の制御部３０が、システム飽和状態である報知を受けた時に、親局１において当該子局２が子局管理テーブル２２ａに登録されていない状態であれば、電波を送信しない状態となり、システム飽和状態でない報知を受けると、電波を送信する状態となるので、システム飽和状態で接続が不可能なときには、子局２が不要な電波を送出しないで消費電力を節約し、親局１においても無駄な接続受付処理を回避でき、システムとしての効率を向上できる効果がある。
【００６４】
また、親局１の制御部１０が、子局管理テーブル２２ａに登録された子局２を抹消するまでの特定時間を、子局２から最後に電波を受信した時からの報知信号の数でカウントし、子局管理テーブル２２ａに登録された子局２の制御部３０が、親局１に最後に電波を送信した時からの報知信号の数で特定時間をカウントして、特定時間に達すると親局１において子局管理テーブル２２ａから抹消されたと判断するので、既存の報知信号を用いた簡単な処理で子局２が親局１の子局管理テーブル２２ａに登録されているか否かの認識を一致させることができる効果がある。
【００６５】
【発明の効果】
請求項１記載の発明によれば、親局が、サービスエリア内で接続されている子局の子局数を管理し、子局数が親局に接続可能な最大子局数に達している状態をシステム飽和状態として、サービスエリア内で接続されていない子局に対して報知し、報知を受けた子局が、システム飽和状態を表示する無線ＬＡＮシステムとしているので、サービスエリア内で接続されていない子局において接続できない理由をシステム飽和状態であると認識でき、子局における使い勝手を向上できる効果がある。
【００６６】
請求項２記載の発明によれば、親局が、サービスエリア内で接続されている子局の子局数を管理し、子局数が親局に接続可能な最大子局数に達している状態をシステム飽和状態と判断して、サービスエリア内で接続されている子局及び接続されていない子局に対して定期的にシステム飽和状態であるか否かを報知し、報知を受けた子局の内、少なくともサービスエリア内で接続されていない子局が、システム飽和状態であるか否かを表示する無線ＬＡＮシステムとしているので、少なくともサービスエリア内で接続されていない子局においてシステム飽和状態であるか否かを定期的に認識でき、接続できない理由を認識した上でシステム飽和状態でなくなった時に再接続することもでき、子局における使い勝手を向上できる効果がある。
【００６７】
請求項３記載の発明によれば、親局の制御部が、サービスエリア内で接続されている子局を子局管理テーブルに登録し、子局管理テーブルに登録されている子局の子局数が予め設定された接続可能な最大子局数に達しているか否かを定期的に判断し、登録されている子局の子局数が最大子局数に達している状態をシステム飽和状態として、システム飽和状態か否かをサービスエリア内に位置する子局に対して報知し、子局の制御部が、親局からの報知を受けて、サービスエリア内で親局に接続されていない場合に、その内容に従ってシステム飽和状態か否かを表示部に表示する無線ＬＡＮシステムとしているので、少なくともサービスエリア内で接続されていない子局においてシステム飽和状態であるか否かを定期的に認識でき、接続できない理由を認識した上でシステム飽和状態でなくなった時に再接続することもでき、子局における使い勝手を向上できる効果がある。
【００６８】
請求項４記載の発明によれば、定期的に親局から子局に送信される報知信号の一部をシステムＦＵＬＬフラグとして割り当て、システムＦＵＬＬフラグを用いてシステム飽和状態か否かを報知する請求項２又は請求項３記載の無線ＬＡＮシステムとしているので、既存の報知信号を用いてシステム飽和状態であるか否かを子局側でリアルタイムに認識でき、システム飽和状態でなくなるタイミングを捕らえて再接続することもでき、子局における使い勝手を向上できる効果がある。
【００６９】
請求項５記載の発明によれば、親局の制御部が、任意の子局から電波を受信すると子局管理テーブルを参照して飽和状態でなければ当該子局を子局管理テーブルに登録し、登録された子局について、特定時間電波を受信しないと、子局管理テーブルから登録を抹消する請求項３又は請求項４記載の無線ＬＡＮ装置としているので、流動的な子局の接続状況を捕らえた上でのシステム飽和状態をリアルタイムに子局側で認識できる効果がある。
【００７０】
請求項６記載の発明によれば、子局の制御部が、システム飽和状態である報知を受けた時に、親局において当該子局が子局管理テーブルに登録されていない状態であれば、電波非送信の状態となり、システム飽和状態でない報知を受けると、電波送信の状態となる請求項３又は請求項４又は請求項５記載の無線ＬＡＮシステムとしているので、システム飽和状態で接続が不可能なときには、子局が不要な電波を送出しないで消費電力を節約し、親局においても無駄な接続受付処理を回避でき、システムとしての効率を向上できる効果がある。
【００７１】
請求項７記載の発明によれば、親局の制御部が、子局管理テーブルに登録された子局を抹消するまでの特定時間を、子局から最後に電波を受信した時からの報知信号の数でカウントし、子局管理テーブルに登録された子局の制御部が、親局に最後に電波を送信した時からの報知信号の数で特定時間をカウントして、特定時間に達すると親局において子局管理テーブルから抹消されたと判断する請求項５又は請求項６記載の無線ＬＡＮシステムとしているので、既存の報知信号を用いた簡単な処理で子局が親局の子局管理テーブルに登録されているか否かの認識を一致させることができる効果がある。
【図面の簡単な説明】
【図１】本発明に係る無線ＬＡＮシステムの親局の構成ブロック図である。
【図２】本発明の親局における子局管理テーブルのフォーマット例を示す説明図である。
【図３】ＴＤＤ方式の無線通信における信号のやり取りを示す説明図である。
【図４】本発明の親局の制御部の子局登録監視手段における処理の流れを示すフローチャート図である。
【図５】本発明の親局の制御部の子局抹消監視手段における処理の流れを示すフローチャート図である。
【図６】本発明に係る無線ＬＡＮシステムの子局の構成ブロック図である。
【図７】本発明の親局の制御部の子局登録監視手段における処理の流れを示すフローチャート図である。
【図８】一般的なＴＤＤ方式の無線ＬＡＮシステムの概略構成を示す説明図である。
【図９】子局を移動可能とした場合の無線ＬＡＮシステムの状態例を示す説明図である。
【符号の説明】
１…親局、  ２…子局、  １０…制御部、  １１…無線通信制御手段、  １２…子局登録監視手段、  １３…子局抹消監視手段、  １４…システムＦＵＬＬ監視手段、  ２０…無線部、  ２１…有線部、  ２２…記憶部、  ２２ａ…子局管理テーブル、  ３０…制御部、  ３１…無線部、  ３２…システムＦＵＬＬ表示部
【図１】
0003701491.tif 000002
【図２】
0003701491.tif 000003
【図３】
0003701491.tif 000004
【図４】
0003701491.tif 000005
【図５】
0003701491.tif 000006
【図６】
0003701491.tif 000007
【図７】
0003701491.tif 000008
【図８】
0003701491.tif 000009
【図９】
0003701491.tif 000010